(57)【特許請求の範囲】
【請求項１】
ロープウェイのゴンドラが握索している２本の架線と、該２本の架線の中間上部に設けられた１本の架線を有するロープウェイの架線に、ロープを掛ける方法において、メッセンジャー・ロープを取付けた弾体が前記３本の架線を越えるように投擲されて地上に落下した前記弾体に、補助ロープの一端を連結した後、前記メッセンジャー・ロープを、前記弾体の投擲方向と逆方向へ引張り、前記弾体が投擲方向で最も近い目的とする架線の直前まで戻った時に、メッセンジャー・ロープを、前記引張り方向と逆方向に繰り出して、前記弾体を地上まで自重落下させることにより、前記目的とする架線にメッセンジャー・ロープを逆Ｕターン状に掛けることを特徴とした架線に用具持ち上げ用のロープを掛ける方法。
【請求項２】
ロープウェイのゴンドラが握索している２本の架線と、該２本の架線の中間上部に設けられた１本の架線を有するロープウェイの架線に、ロープを掛ける方法において、メッセンジャー・ロープを取付けた弾体が前記３本の架線を越えるように投擲されて地上に落下した前記弾体に、ジョイント部品と補助ロープ用の接続具を介して補助ロープを連結した後、前記メッセンジャー・ロープを投擲方向と逆方向に引張りつつ、前記補助ロープを繰り出し、前記弾体が投擲方向で最も近い目的とする架線の直前まで移動したならば、メッセンジャー・ロープを、前記引張り方向と逆方向に繰り出すと共に、補助ロープを繰り出して、前記弾体を地上まで自重落下させることにより、前記目的とする架線にメッセンジャー・ロープを逆Ｕターン状に掛けることを特徴とした架線に用具持ち上げ用のロープを掛ける方法。
【発明の詳細な説明】
【０００１】
【発明の属する技術分野】
この発明は、ロープウェイにおいて、ゴンドラなどが握索しているワイヤーへメッセンジャー・ロープを逆Ｕターン状に掛けて必要な用具を持ち上げることができるようにすることを目的とした架線に用具持ち上げ用のロープを掛ける方法に関する。
【０００２】
【従来の技術】
従来のロープウェイにおいて、人が乗っているゴンドラが事故の為に、空中で宙吊状態で停止して、運転再開までに長時間を要する場合には、ゴンドラ内の人を救助する為には、救助作業員が、ゴンドラの最寄の支柱に登って必要な作業をするのが普通であった。
【０００３】
【発明により解決すべき課題】
従来の方法によれば、作業員は支柱上の高所作業を強いられる上に、通常山などの高所は強風の場合が多いので、危険を伴う問題点があった。
【０００４】
【課題を解決する為の手段】
この発明は、メッセンジャー・ロープの先端に弾体を取付け、この弾体を、発射装置などを利用して全架線の上部を起えるように投擲し、ついでメッセンジャー・ロープを投擲方向と逆方向へ引張り、所定の位置で前記弾体を自由落下させ、このメッセンジャー・ロープを利用することにより、作業員が支柱上に昇ることなく、メッセンジャー・ロープを操作して必要な用具を持ち上げるので、前記従来の問題点を解決したのである。
【０００５】
即ちこの発明は、ロープウェイのゴンドラが握索している２本の架線と、該２本の架線の中間上部に設けられた１本の架線を有するロープウェイの架線に、ロープを掛ける方法において、メッセンジャー・ロープを取付けた弾体が前記架線を越えるように投擲して地上に落下した前記弾体に、補助ロープの一端を連結した後、前記メッセンジャー・ロープを、前記弾体の投擲方向と逆方向へ引張り、前記弾体が目的とする架線の直前まで戻った時に、メッセンジャー・ロープを前記引張り方向と逆方向に繰り出して、前記弾体を地上まで自重落下させることにより、前記架線にロープを逆Ｕターン状に掛けることを特徴とした架線に用具持ち上げ用のロープを掛ける方法である。
【０００６】
また他の発明は、ロープウェイのゴンドラが握索している２本の架線と、該２本の架線の中間上部に設けられた１本の架線を有するロープウェイの架線に、ロープを掛ける方法において、メッセンジャー・ロープを取付けた弾体が前記架線を越えるように投擲して地上に落下した前記弾体に、ジョイント部品と補助ロープ用の接続具を介して補助ロープを連結した後、前記メッセンジャー・ロープを投擲方向と逆方向に引張りつつ、前記補助ロープを繰り出し、前記弾体が目指す架線の直前まで移動したならば、メッセンジャー・ロープを前記引張り方向と逆方向に繰り出すと共に、補助ロープを繰り出して、前記弾体を地上まで自重落下させることにより、前記架線にロープを逆Ｕターン状に掛けることを特徴とした架線に用具持ち上げ用のロープを掛ける方法である。
【０００７】
前記発明において、弾体の形状及び重さは、発射装置の能力によって決まるが、弾体と、これにつけたロープは全架線を確実に越える必要がある。その反面メッセンジャー・ロープを、所望の架線のみに掛けるには、メッセンジャー・ロープの引戻しがむつかしいが、前記弾体に連結手段を有する補助ロープを使用すれば、比較的容易に実施することができる。
【０００８】
【発明の実施の形態】
この発明は、弾体付メッセンジャー・ロープの弾体を発射装置により発射して、全架線を越したならば、弾体に補助ロープを取付け（又は補助ロープを取付けることなく）、前記メッセンジャー・ロープを引戻す。この場合に、補助ロープがない場合であっても、弾体の引戻しはできるが、風が強い場合には、弾体が揺れてメッセンジャー・ロープにからまる場合があるので（図２）、補助ロープを取付けた方がより好ましい。
【０００９】
【実施例】
この発明の実施例を図面に基づいて説明する。図１において、メッセンジャー・ロープ１を掛ける位置の一側に発射装置２を設置し、全架線３、４、５を飛び越えるように弾体６を発射する。例えば図１中鎖線図示１ａのように弾体６を投擲すると、弾体６は全架線の上部を越えて地上に落下し、メッセンジャー・ロープ１は弾体６の落下と自重により矢示７のように下降し、図１中実線図の位置に落着く。次にメッセンジャー・ロープ１を矢示８のように、投擲方向と逆の方向へ引戻すのであるが、補助ロープ１０をつけていないと、風により図２中鎖線図示１ｂのように弾体６が鎖線図示６ａのようにからまるおそれがある。そこで補助ロープ１０の接続具９を弾体６に接続（螺着）する（図３）。ついてメッセンジャー・ロープ１を矢示１１の方向へ引戻ると共に、同一速度で補助ロープ１０を矢示１２の方向へ繰り出せば、メッセンジャー・ロープ１と補助ロープ１０は、緊張状態を保ったま々矢示１１、１２の方向へ移動するので、弾体６はからまるおそれなく移動できる。前記弾体６が所定の位置に達したならば（図５）、メッセンジャー・ロープ１の引戻しを中止して逆方向に繰り出し、補助ロープ１０のみを矢示１２の方向へ繰り出せば、弾体６は自重により矢示１３の方向へ降下する。そこで、補助ロープ１０を適度の速度に繰り出せば、弾体６は安定した状態で降下し、図５の位置から図６、７のように、逆Ｕターン状に吊下される（具体的には、弾体６は地上に達する）。
【００１０】
このようにして、掛けたメッセンジャー・ロープ１を利用して救助に必要な用具を運び上げる。図中１４は支柱、１５は支柱１４に支えられる架台である。
【００１１】
次に弾体６の重量、形状については厳しい制約はないが、普通の投射装置で全架線を飛び越え、必要な位置に達する必要がある。
【００１２】
図８は、弾体６の構造及び弾体６に接続具９を接続した構造の実施例である。即ち弾体６は帽状の頭部６ａにメッセンジャー・ロープ１の一端を連結し、内腔部へ筒状ナット１８を嵌入してピン１９で固定し、筒状ナット１８の外端にジョイント部品１７の一側を螺合固定する。また弾体６のキャップ１６の内腔に筒状ナット２０を嵌入してピン２１で固定し、筒状ナット２０の外端部を、前記ジョイント部品１７の他側に螺合し、固定したものである。
【００１３】
また一側に補助ロープ１０を連結した接続具９の内腔部へ、筒状ナット２２を嵌入してピン２３で固定したもので、接続具９の筒状ナット２２をジョイント部品１７の他側（キャップ螺合側）に螺合すれば、補助ロープ１０と、メッセンジャー・ロープ１とを連結することができる。前記弾体６及び接続具９等の構造は一例であって、これに限定されるものではない。
【００１４】
【発明の効果】
この発明によれば、弾体を投擲して、メッセンジャー・ロープを所望の架線にかけることができる効果がある。然して補助ロープを接続すれば、弾体を安定して後退させ、全作業を円滑、かつトラブルなく終了させ得る効果がある。従って高所かつ強風下のような危険を生じ易い場所で作業をすることなく、用具引上げなどの作業を安全確実に行うことができる効果がある。
【図面の簡単な説明】
【図１】この発明の実施例を説明する概念図。
【図２】同じく弾体がトラブルを生じた場合の説明図。
【図３】同じく補助ロープ１０を接続した場合の説明図。
【図４】同じくメッセンジャー・ロープと、補助ロープとを同方向へ移動する場合の説明図。
【図５】同じく弾体の自重降下開始時を示す説明図。
【図６】同じく架線にメッセンジャー・ロープを掛け弾体が地上付近まで降下した状態を示す説明図。
【図７】同じく架台の一部斜視図。
【図８】同じく弾体と接続具の説明図で、
（ａ）弾体の外観図。
（ｂ）弾体の断面図。
（ｃ）弾体のキャップを外した分解断面図。
（ｄ）キャップを外して、取付ける接続具の分解断面図。
（ｅ）接続具付弾体の外観図。
【符号の説明】
１ メッセンジャー・ロープ
２ 発射装置
３、４、５ 架線
６ 弾体
９ 接続具（補助ロープ用）
１０ 補助ロープ
１４ 支柱
１５ 架台
１６ キャップ
１７ ジョイント部品
１８、２０、２２ 筒状ナット
１９、２１、２３ ピン
【図１】
0004174612.tif 000002
【図２】
0004174612.tif 000003
【図３】
0004174612.tif 000004
【図４】
0004174612.tif 000005
【図５】
0004174612.tif 000006
【図６】
0004174612.tif 000007
【図７】
0004174612.tif 000008
【図８】
0004174612.tif 000009